(57)【要約】【課題】簡易な構成により、内燃機関の潤滑オイルに混入した燃料成分を、オイルを劣化させることなく分離し得る分離器を提供する。【解決手段】本分離器１は、燃料により希釈されたオイルから燃料成分をクロスフロー濾過方式にて分離する分離器であって、筒状の分離器本体１０と、分離器本体内に設けられ且つ分離器本体内を第１領域１５及び第２領域１６に仕切り更にオイルに含まれる燃料成分を透過させて分離する分離部材１１と、分離器本体に設けられ且つ第１領域にオイルを導入するオイル導入部１２と、分離器本体に設けられ且つ第１領域からオイルを排出するオイル排出部１３と、分離器本体に設けられ且つ第２領域から燃料成分を排出する燃料排出部１４と、を備える。【選択図】図１
2009257135.tif 000002
【特許請求の範囲】
【請求項１】
燃料により希釈されたオイルから燃料成分をクロスフロー濾過方式にて分離する分離器であって、
筒状の分離器本体と、
前記分離器本体内に設けられ且つ該分離器本体内を第１領域及び第２領域に仕切り更に前記オイルに含まれる燃料成分を透過させて分離する分離部材と、
前記分離器本体に設けられ且つ前記第１領域に前記オイルを導入するオイル導入部と、
前記分離器本体に設けられ且つ前記第１領域から前記オイルを排出するオイル排出部と、
前記分離器本体に設けられ且つ前記第２領域から前記燃料成分を排出する燃料排出部と、を備えることを特徴とする分離器。
【請求項２】
前記分離器本体は、円筒状に形成されており、前記分離部材は、前記分離器本体の軸方向に円筒状に形成されている請求項１記載の分離器。
【請求項３】
前記第１領域は、前記分離部材の内側の領域であり、前記第２領域は、前記分離部材の外側の領域であり、前記オイル導入部及び前記オイル排出部は、前記分離器本体の両端面にそれぞれ設けられ、前記燃料排出部は、前記分離器本体の側面に設けられている請求項２記載の分離器。
【請求項４】
前記第１領域は、前記分離部材の外側の領域であり、前記第２領域は、前記分離部材の内側の領域であり、前記オイル導入部及び前記オイル排出部は、前記分離器本体の側面にそれぞれ設けられ、前記燃料排出部は、前記分離器本体の端面に設けられている請求項２記載の分離器。
【請求項５】
前記オイル導入口は、前記オイルを前記分離器本体の接線方向に導入し、前記オイル排出口は、前記オイルを前記分離器本体の接線方向から排出する請求項４記載の分離器。
【請求項６】
前記分離部材は、燃料成分を透過可能な多数の細孔を有する分離膜部と、前記分離膜部の細孔の径よりも大きい多数の細孔を有する支持体部と、を有するセラミックフィルタである請求項１乃至５のいずれか１項に記載の分離器。
【請求項７】
更に、前記分離部材を加熱する分離部材加熱手段を備える請求項１乃至６のいずれか１項に記載の分離器。
【発明の詳細な説明】
【技術分野】
【０００１】
本発明は、分離器に関し、更に詳しくは、簡易な構成により、内燃機関の潤滑オイルに混入した燃料成分を、オイルを劣化させることなく分離し得る分離器に関する。
【背景技術】
【０００２】
従来より、内燃機関の潤滑オイルの燃料成分の混入による希釈を抑制するため、その分離方法として、オイルを昇温させることにより燃料成分を気化させて分離する方法が知られている。（例えば、特許文献１及び２参照。）。
上記特許文献１には、内燃機関の潤滑回路内に設けられたオイルヒータにより、潤滑オイルの温度を上昇させて、潤滑オイルに混入した燃料や潤滑オイルに混入しようとする燃料のうち気化する燃料成分を増やすことが開示されている。
また、上記特許文献２には、オイルパン内の潤滑油を加熱するためのヒータをオイルパン底部に設けて潤滑油の温度調整を行い、燃料を気化させることが開示されている。
【０００３】
【特許文献１】特開２００４−１９０５１３号公報
【特許文献２】特開２００４−３４００５６号公報
【発明の開示】
【発明が解決しようとする課題】
【０００４】
しかし、上記特許文献１及び２では、オイル中の燃料成分をヒータにて気化させているが、通常、内燃機関の運転時のオイル温度は最高でも１３０℃程度であり、この場合、オイル中の燃料成分の３０％以上が残留してしまう。また、２００℃程度まで昇温させればオイル中に含まれる燃料成分の略全量を気化させることができるが、この場合、オイル自体も劣化してしまうという問題が発生する。
【０００５】
本発明は、上記現状に鑑みてなされたものであり、簡易な構成により、内燃機関の潤滑オイルに混入した燃料成分を、オイルを劣化させることなく分離し得る分離器を提供することを目的とする。
【課題を解決するための手段】
【０００６】
本発明は、以下の通りである。
１．燃料により希釈されたオイルから燃料成分をクロスフロー濾過方式にて分離する分離器であって、
筒状の分離器本体と、
前記分離器本体内に設けられ且つ該分離器本体内を第１領域及び第２領域に仕切り更に前記オイルに含まれる燃料成分を透過させて分離する分離部材と、
前記分離器本体に設けられ且つ前記第１領域に前記オイルを導入するオイル導入部と、
前記分離器本体に設けられ且つ前記第１領域から前記オイルを排出するオイル排出部と、
前記分離器本体に設けられ且つ前記第２領域から前記燃料成分を排出する燃料排出部と、を備えることを特徴とする分離器。
２．前記分離器本体は、円筒状に形成されており、前記分離部材は、前記分離器本体の軸方向に円筒状に形成されている上記１．記載の分離器。
３．前記第１領域は、前記分離部材の内側の領域であり、前記第２領域は、前記分離部材の外側の領域であり、前記オイル導入部及び前記オイル排出部は、前記分離器本体の両端面にそれぞれ設けられ、前記燃料排出部は、前記分離器本体の側面に設けられている上記２．記載の分離器。
４．前記第１領域は、前記分離部材の外側の領域であり、前記第２領域は、前記分離部材の内側の領域であり、前記オイル導入部及び前記オイル排出部は、前記分離器本体の側面にそれぞれ設けられ、前記燃料排出部は、前記分離器本体の端面に設けられている上記２．記載の分離器。
５．前記オイル導入口は、前記オイルを前記分離器本体の接線方向に導入し、前記オイル排出口は、前記オイルを前記分離器本体の接線方向から排出する上記４．記載の分離器。
６．前記分離部材は、燃料成分を透過可能な多数の細孔を有する分離膜部と、前記分離膜部の細孔の径よりも大きい多数の細孔を有する支持体部と、を有するセラミックフィルタである上記１．〜５．のいずれか１項に記載の分離器。
７．更に、前記分離部材を加熱する分離部材加熱手段を備える上記１．〜６．のいずれか１項に記載の分離器。
【発明の効果】
【０００７】
本発明の分離器によると、オイル導入部により分離器本体の第１領域に導入されるオイルから、分離部材を介して燃料成分を第２領域へ分離し、オイルから分離された燃料成分は燃料排出部により第２領域から排出され、燃料成分が分離されたオイルはオイル排出部により第１領域から排出される。
このように、分離部材を用いてオイルから燃料成分を分離するようにしたので、従来のようにオイルを昇温するためのヒータ等を設ける必要がなく簡易な構造とすることができ、また、オイルを昇温しないので、オイルの熱による劣化を防止することができる。また、クロスフロー濾過方式を採用しているので、分離部材の表面にオイル中に含まれるスラッジ等の固形成分が堆積するのを防止して分離部材の能力低下を抑制することができる。
【０００８】
また、前記分離器本体が、円筒状に形成されており、前記分離部材が、該分離器本体の軸方向に円筒状に形成されている場合は、分離器を更に簡易な構造とすることができる。
更に、前記第１領域が前記分離部材の内側の領域であり、前記第２領域が前記分離部材の外側の領域であり、前記オイル導入部及び前記オイル排出部が前記分離器本体の両端面にそれぞれ設けられ、前記燃料排出部が前記分離器本体の側面に設けられている場合は、オイル導入部から円筒状の分離部材を経てオイル排出部に至るオイルの流路を直線的に形成することができ、この分離器を内燃機関の潤滑回路に組み込んでも、回路内のオイルの流通を阻害することなく、オイルの円滑な流通を確保できる。
また、前記第１領域が前記分離部材の外側の領域であり、前記第２領域が前記分離部材の内側の領域であり、前記オイル導入部及び前記オイル排出部が前記分離器本体の側面にそれぞれ設けられ、前記燃料排出部が前記分離器本体の端面に設けられている場合は、オイルが流通する第１領域の容積を大きく設定することができ、また、内側の第１領域から外側の第２領域へと燃料を濾過する場合と比較して、同じ断面積の分離部材を用いた場合、濾過面積を大きく設定することができる。
【０００９】
更に、前記オイル導入部が前記オイルを前記分離器本体の接線方向に導入し、前記オイル排出部が前記オイルを前記分離器本体の接線方向から排出する場合は、導入及び排出するオイルにより、第１領域内のオイルを旋回させて遠心力を付与し、オイルよりも比重の大きい金属粉等の固形成分を、分離器本体の遠心方向に集積、即ち分離部材から離隔させて、分離部材の表面に金属粉等の固形成分が堆積するのを更に減少させて、分離部材の能力低下を更に抑制することができる。
【００１０】
また、燃料成分を透過可能な多数の細孔を有する分離膜部と、前記分離膜部の細孔の径よりも大きい多数の細孔を有する支持体部と、を有するセラミックフィルタである場合は、濾過能力に優れた、高性能の分離器を実現することができる。
更に、前記分離部材を加熱する分離部材加熱手段を備える場合は、オイルからの燃料成分の分離を更に促進させることができる。
【発明を実施するための最良の形態】
【００１１】
本実施形態に係る分離器は、燃料により希釈されたオイルから燃料成分をクロスフロー濾過方式にて分離する分離器であって、以下に述べる分離器本体、分離部材、オイル流入部、オイル排出部及び燃料排出部を備えている。尚、クロスフロー濾過方式とは、流れの一部のみが濾材を通過する濾過方式のことである（例えば、図２、５、９及び１１等参照）。
【００１２】
上記「分離器本体」は、その内部に導入されるオイルから燃料成分を分離する限り、その構造、形状、材質等は特に問わない。この分離器本体の材質としては、例えば、鉄、アルミニウム等の金属製、樹脂製等を挙げることができる。また、分離器本体の形状としては、例えば、円筒状、角筒状（例えば、四角（正方形、長方形等）、六角、八角等）等を挙げることができる。
【００１３】
上記「分離部材」は、上記分離器本体内に設けられ且つ分離器本体内を第１領域及び第２領域に仕切り更にオイルに含まれる燃料成分を透過させて分離する限り、その構造、形状、材質等は特に問わない。この分離部材の形状としては、例えば、円筒状（例えば、図２〜７等参照）、角筒状（例えば、四角（正方形、長方形等）、六角、八角等）、長さ方向に２以上の貫通孔を有する柱状（例えば、図８等参照）、平板状（例えば、図９等参照）、湾曲板状、屈曲板状等を挙げることができる。また、分離部材の材質としては、例えば、セラミックス製、樹脂製等を挙げることができる。また、分離部材の構造としては、燃料成分を透過可能な多数の細孔を有する一体的に形成された分離部材である構造、燃料成分を透過可能な多数の細孔を有する分離膜部が、分離膜部の細孔の径よりも大きい多数の細孔を有する支持体部の表面に形成されている分離部材である構造等を挙げることができる。
【００１４】
尚、上記分離部材が分離膜部と支持体部とを備える場合、分離膜部の厚さは、好ましくは５〜２０μｍであり、支持体部の厚さは、好ましくは１〜５ｍｍである。また、それらの材質は、同一であってもよいし、同一でなくてもよい。また、分離膜部と支持体部との間に、更に１又は２以上の層を設けるようにしてもよい。
【００１５】
上記分離部材による分離器本体内の仕切り形態としては、例えば、（１）１若しくは２以上の筒状、又は２以上の貫通孔を有する柱状、の分離部材により分離器本体内を分離部材の内側の第１領域と分離部材の外側の第２領域とに仕切る形態（例えば、図２、３等参照）、（２）１若しくは２以上の筒状、又は２以上の貫通孔を有する柱状、の分離部材により分離器本体内を分離部材の外側の第１領域と分離部材の内側の第２領域とに仕切る形態（例えば、図５、６等参照）、（３）板状の分離部材により分離器本体内を側方に隣接する第１領域と第２領域とに仕切る形態（例えば、図９等参照）等を挙げることができる。
【００１６】
上記「オイル導入部」は、上記分離器本体に設けられ且つ第１領域にオイルを導入する限り、その形状、配置形態等は特に問わない。
上記「オイル排出部」は、上記分離器本体に設けられ且つ第１領域からオイルを排出する限り、その形状、配置形態等は特に問わない。
上記「燃料排出部」は、上記分離器本体に設けられ且つ第２領域から燃料成分を排出する限り、その形状、配置形態等は特に問わない。この燃料排出部は、例えば、内燃機関の吸気側に接続されていたり、また、分離した燃料を貯留する貯留タンク等に接続されていたり、更に、分離した燃料を更に処理する処理手段に接続されていたりすることができる。
【００１７】
ここで、上記分離器本体が円筒状であり、上記分離部材が１若しくは２以上の円筒状又は２以上の貫通孔を有する柱状であり、分離部材による分離器本体内の仕切り形態が上記（１）の形態である場合には、上記オイル導入部及びオイル排出部は、分離器本体の両端面にそれぞれ設けられることができる（例えば、図２、３等参照）。この場合、上記オイル導入部及びオイル排出部は、分離部材を介して直線状に設けられていることが好ましい。オイルをスムーズに流通させることができるからである。
【００１８】
また、上記分離器本体が円筒状であり、分離部材が１若しくは２以上の円筒状又は２以上の貫通孔を有する円柱状であり、分離部材による分離器本体内の仕切り形態が上記（２）の形態である場合には、上記オイル導入部は、分離器本体の側面に、その接線方向にオイルを導入するように、また、上記オイル排出部は、分離器本体の側面に、その接線方向からオイルを排出するようにそれぞれ設けられることができる（例えば、図５、６等参照）。これにより、導入および排出するオイルによって第１領域内のオイルに旋回力を付与するようにすることができる。また、この場合、上記オイル導入部及びオイル排出部は、分離器本体の両端面側の側面に、それぞれ離隔した位置に設けられていることが好ましい。オイルを、オイル導入部から導入してオイル排出部から排出するまでに、分離器本体内でより多く旋回させることができるからである。
【００１９】
本実施形態に係る分離器は、上述の構成の他に、更に上記分離部材を加熱する分離部材加熱手段（例えば、図１０等参照）を備えることができる。
上記「分離部材加熱手段」は、分離部材を加熱しうる限り、その構造、形状、加熱形態等は特に問わない。この分離部材加熱手段は、上記分離部材の内部または表面等に設けられたヒータ等であることができる。
【００２０】
本実施形態に係る分離器は、内燃機関の潤滑回路内（例えば、図１等参照）に、又は潤滑回路とは別系統の単独の分離回路（例えば、図１２等参照）として、設けることができる。
【実施例】
【００２１】
以下、図面を用いて実施例１及び２により本発明を具体的に説明する。なお、本実施例１及び２では、本発明に係る「分離器」として、ウェットサンプ式エンジンを潤滑するオイルから燃料成分を分離する分離器を例示する。
【００２２】
（実施例１）
（１）分離器の構成
本実施例１に係る分離器１は、図１に示すように、ウェットサンプ式エンジン２（以下、単に「エンジン」と略記する。）の潤滑回路内の、オイルをエンジン２の各部に圧送する潤滑用ポンプ３の吐出側に設けられている。
【００２３】
分離器１は、図２及び３に示すように、円筒状で金属製の分離器本体１０を備えている。この分離器本体１０内には、その両端を分離器本体１０の両端の端面部１０ａ、１０ｂに取着されたセラミックス製のセラミックフィルタ（本発明に係る分離部材として例示する。）１１が設けられている。このセラミックフィルタ１１により、分離器本体１０内は、セラミックフィルタ１１の内側の第１領域１５と外側の第２領域１６とに仕切られている。また、分離器本体１０の一端側の端面部１０ａには、分離器本体１０内の第１領域１５にオイルを導入するオイル導入部１２が設けられており、また、分離器本体１０の他端側の端面部１０ｂには、分離器本体１０内の第１領域１５からオイルを排出するオイル排出部１３が設けられている。更に、分離器本体１０の外周側の側面部１０ｃには、分離器本体１０内の第１領域１５に導入されたオイルから、セラミックフィルタ１１を透過して第２領域１６に到達し、オイルから分離された燃料成分を排出する燃料排出部１４が設けられている。また、燃料排出部１４の他端側は、エンジン２の吸気管４に接続されている。
【００２４】
上記セラミックフィルタ１１は、図４（ａ）に示すように、多数の細孔を有する支持体部１１ａと、その内側の、支持体部１１ａの細孔径よりも小さく、燃料成分を透過可能な多数の細孔を有する分離膜部１１ｂと、からなる２層構造をしている。そして、セラミックフィルタ１１の外径及び内径はそれぞれ約１０ｍｍ及び７ｍｍ、また、分離膜部１１ｂの厚さは１０μｍ程度となっている。また、支持体部１１ａに設けられている細孔の平均径は１０μｍ程度であるのに対し、分離膜部１１ｂに設けられている細孔の平均径は２０ｎｍ程度である。
ここで、内燃機関に用いられるガソリン等の燃料は、その分子構造において、１つの分子あたり４〜１３個程度の炭素原子を有しているが、オイルの場合、１つの分子あたり２５個以上の炭素原子を有している。このような分子の構成の違いにより、燃料の分子径は分離膜部１１ｂの細孔の径よりも小さく、オイルの分子径は分離膜部１１ｂの細孔の径よりも大きいため、セラミックフィルタ１１によりオイルに混合している燃料成分を分離することができる。そして、支持体部１１ａの細孔径は分離膜部１１ｂの細孔径と比較して極めて大きいので、分離膜部１１ｂを通過した燃料成分は、分離膜部１１ｂを通過するよりも小さい抵抗で、支持体部１１ａを通過することができる。
【００２５】
（２）分離器の作用
次に、上記構成の分離器１の作用について説明する。
先ず、潤滑用ポンプ３から吐出されたオイルは、オイル導入部１２からセラミックフィルタ１１の内側である第１領域１５に導入される。このとき、第１領域１５内の圧力は、潤滑用ポンプ３の吐出圧力により、第２領域１６内の圧力よりも高くなっている。その差圧により、第１領域１５内に導入されたオイルに含まれている燃料成分が、セラミックフィルタ１１を透過し、第２領域１６へ到達し、燃料排出部１４から分離器１の外部に排出される。このとき、燃料成分は分離器本体１０の接線方向から排出されるので、第２領域１６内の燃料は、第２領域内を旋回する。また、燃料成分が分離され、燃料による希釈率が減少したオイルは、オイル排出部１３から排出され、エンジン２の各部に圧送される。更に、分離された燃料は、エンジン２の吸気管４に送られ、エンジン２にて燃焼処理される。
【００２６】
（３）実施例の効果
以上より、本実施例１の分離器１では、セラミックフィルタ１１を用いてオイルから燃料成分を分離するようにしたので、従来のようにオイルを加熱するためのヒータ等を設ける必要がなく簡易な構造とすることができ、また、オイルを昇温させないので、オイルの熱による劣化を防止することができる。
【００２７】
また、クロスフロー濾過方式を採用しているので、セラミックフィルタ１１の表面にオイル中の金属粉等の固形成分が堆積して目詰まりするのを抑制して、セラミックフィルタ１１の能力低下を抑制することができる。
【００２８】
また、第１領域１５がセラミックフィルタ１１の内側の領域であり、第２領域１６がセラミックフィルタ１１の外側の領域であり、オイル導入部１２及びオイル排出部１３が分離器本体１０の両端面にそれぞれ設けられ、燃料排出部１４が分離器本体１０の側面に設けられているので、オイル導入部１２から円筒状のセラミックフィルタ１１を経てオイル排出部１３に至るオイルの流路を直線的に形成することができ、潤滑回路内のオイルの流通を阻害することなく、オイルの円滑な流通を確保することができる。
【００２９】
（実施例２）
次に、実施例２に係る分離器について説明する。なお、本実施例２に係る分離器において、上記実施例１の分離器１と略同じ構成部位には同符合を付けて詳説を省略する。
本実施例２に係る分離器１は、上述の実施例１と同様に、エンジン２の潤滑回路内の、オイルをエンジン２の各部に圧送する潤滑用ポンプ３の吐出側に設けられている。
【００３０】
（１）分離器の構成
本実施例２に係る分離器１では、図５及び６に示すように、その両端を分離器本体１０の両端の端面部１０ａ、１０ｂに取着されたセラミックス製のセラミックフィルタ３１が設けられている。このセラミックフィルタ３１により、分離器本体１０内は、セラミックフィルタ３１の外側の第１領域１５と内側の第２領域１６とに仕切られている。また、分離器本体１０の外周側の側面部１０ｃには、分離器本体１０内の第１領域１５にオイルを導入するオイル導入部３２と、分離器本体１０内の第１領域１５からオイルを排出するオイル排出部３３が設けられている。このオイル導入部３２は、分離器本体１０の接線方向からオイルを導入するように設けられており、また、オイル排出部３３は、分離器本体１０の接線方向へオイルを排出するように設けられている。更に、分離器本体１０の一端側の端面部１０ｂには、分離器本体１０内の第１領域１５に導入されたオイルからセラミックフィルタ３１を透過して第２領域１６に到達しオイルから分離された燃料成分を排出する燃料排出部３４が設けられている。また、この燃料排出部３４の他端側は、エンジン２の吸気管４に接続されている。
【００３１】
ここで、上述の実施例１のセラミックフィルタ１１では、分離膜部１１ｂは支持体部１１ａの内側に形成されているが、本実施例２のセラミックフィルタ３１では、図４（ｂ）に示すように、分離膜部３１ｂは支持体部３１ａの外側に形成されている。これは、上述の実施例１では、燃料成分がセラミックフィルタ１１の内側の第１領域から外側の第２領域へ透過するのに対し、本実施例２では、燃料成分がセラミックフィルタ３１の外側の第１領域から内側の第２領域へ透過するためである。
【００３２】
（２）分離器の作用
次に、上記構成の分離器１の作用について説明する。
先ず、潤滑用ポンプ３から吐出されたオイルは、オイル導入部３２からセラミックフィルタ３１の外側である第１領域１５に導入される。このとき、オイルはオイル導入部３２から分離器本体１０の接線方向へ導入され、第１領域１５内を旋回しながら流通する。また、第１領域１５内の圧力は、潤滑用ポンプ３の吐出圧力により、第２領域１６内の圧力よりも高くなっている。その差圧により、第１領域１５内に導入されたオイルに含まれている燃料成分が、セラミックフィルタ３１を透過し、第２領域１６へ到達し、燃料排出部３４から分離器１の外部に排出される。また、燃料成分が分離され、燃料による希釈率が減少したオイルは、オイル排出部３３から排出され、エンジン２の各部に圧送される。更に、分離された燃料は、エンジン２の吸気管４に送られ、エンジン２にて燃焼処理される。
【００３３】
（３）実施例の効果
以上より、本実施例２の分離器１では、上記実施例１と同様に、セラミックフィルタ３１を用いてオイルから燃料成分を分離するようにしたので、従来のようにオイルを加熱するためのヒータ等を設ける必要がなく簡易な構造とすることができ、また、オイルを昇温させないので、オイルの熱による劣化を防止することができる。
【００３４】
また、本実施例２の分離器１では、上記実施例１と同様に、クロスフロー濾過方式を採用しているので、セラミックフィルタ３１の表面にオイル中の金属粉等の固形成分が堆積して目詰まりするのを抑制して、セラミックフィルタ３１の能力低下を抑制することができる。これに加えて、本実施例２の分離器１では、オイル導入部３２がオイルを分離器本体１０の接線方向に導入して第１領域１５内のオイルを旋回させるようにしたので、その遠心力により、オイルよりも比重の大きい金属粉等の固形成分には、分離器本体１０の遠心方向、即ちセラミックフィルタ３１から離隔する方向への力が作用する。これにより、セラミックフィルタ３１の表面への金属粉等の固形成分の堆積を更に減少させて、セラミックフィルタ３１の能力低下を更に抑制することができる。更に、このオイルの旋回による遠心力により、燃料と比較して比重の大きいオイル（約０．８）が分離器本体１０の遠心方向へ、比重の小さい燃料（約０．７６）は軸心方向へ、それぞれ引き寄せられるので、オイルからの燃料の分離を促進することができる。
【００３５】
更に、本実施例２の分離器１では、セラミックフィルタ３１の分離膜部３１ｂは、支持体部３１ａの外側に形成されているので、上述の実施例１のように支持体部１１ａの内側に分離膜部１１ｂを形成した場合と比較して、分離膜部３１ｂの表面積、即ち濾過面積を大きく設定することができる（図４（ａ）及び（ｂ）参照）。
【００３６】
また、本実施例２の分離器１では、セラミックフィルタ３１の外側を、オイルが流通する第１領域１５、内側を、分離した燃料が流通する第２領域１６としたので、上述の実施例１と比較して、オイルが流通する第１領域１５の容積を大きく設定することができる。即ち、燃料によるオイルの希釈率の許容限度は約１０％であり、オイルと燃料との流量の割合は、オイルと燃料とが完全に分離されたとしても９：１程度であることから、分離後の流量として燃料成分の流量よりもはるかに多い流量が流通するオイル側の容積、即ち第１領域１５の容積をより大きく設定できる好ましい形態とすることができる。
【００３７】
尚、本発明においては、上記実施例１及び２に限られず、目的、用途に応じて本発明の範囲内で種々変更した実施例とすることができる。即ち、上記実施例１及び２では、１つの円筒状の各セラミックフィルタ１１、３１をそれぞれ用いる形態を例示したが、これに限定されず、例えば、図７（ａ）及び（ｂ）に示すように、２以上の筒状の各セラミックフィルタ４１、５１をそれぞれ用いる形態としてもよい。この場合、上述の実施例１及び２の各セラミックフィルタ１１、３１の各分離膜部１１ｂ、３１ｂの表面積（濾過面積）とそれぞれ比較して、第１領域１５の断面積が同じであれば、各分離膜部４１ｂ、５１ｂの表面積をより大きく設定することができる。
【００３８】
また、上記実施例１では、円筒状のセラミックフィルタ１１を用いる形態を例示したが、これに限定されず、例えば、図８に示すように、長さ方向に２以上の貫通孔（図中７個の貫通孔）を有する柱状のセラミックフィルタ６１とし、各貫通孔の内面に分離膜部６１ｂを形成する形態としてもよい。これにより、分離膜部の表面積が同じであれば、オイルが流通する第１領域１５の断面積を小さく設定することができ、流通するオイルの流速を大きく設定することにより、分離膜部６１の表面への金属粉等の固形成分の堆積を抑制することができる。また、第１領域１５の断面積が同じであれば、分離膜部６１ｂの表面積を大きく設定することができる。
【００３９】
更に、上記実施例１及び２では、円筒状の各セラミックフィルタ１１、３１により分離器本体１０内を第１領域及び第２領域に仕切るようにしたが、これに限定されず、例えば、図９に示すように、平板状の分離部材７１により分離器本体１０内を左右に隣接する第１領域１５及び第２領域１６に仕切るようにしてもよい。
【００４０】
また、上記実施例１及び２では、オイル中の燃料成分を分離する各セラミックフィルタ１１、３１のみを用いる形態を例示したが、これに限定されず、例えば、図１０に示すように、セラミックフィルタを加熱するヒータ１７（本発明に係る分離部材加熱手段として例示する。）を更に備えるようにして、オイルからの燃料成分の分離を促進させるようにしてもよい。
【００４１】
また、上記実施例２では、円筒状の分離器本体１０を用いたが、これに限定されず、例えば、図１１に示すように、分離器本体１０の外周側の側面部１０ｃに段差部１０ｄを設けた段差円筒状の分離器本体１０とし、この段差を利用して金属粉等の固形成分を分離するようにしてもよい。即ち、燃料及びオイルと比較して比重の大きい金属粉等の固形成分には、第１領域１５を旋回するオイルの遠心力により分離器本体１０の外周方向への力が作用するので、軸心から最遠となる段差部１０ｄに集積される。このようにして、燃料成分だけでなく、金属粉等の固形成分をオイルから分離することもできる。また、集積された、オイルよりも比重の大きい金属粉等の固形成分は、例えば、図１１に示すように、ドレン口１８を設けて適宜排出するようにしてもよい。
【００４２】
更に、上記実施例１及び２では、分離器１を、エンジン２の潤滑回路内の、オイルをエンジン２の各部に圧送する潤滑用ポンプ３の吐出側に設けるようにしたが、これに限定されず、例えば、潤滑用ポンプ３の吸込側に設けるようにしてもよいし、また、例えば、図１２に示すように、潤滑回路とは別の、燃料分離専用の回路として設けるようにしてもよい。
【産業上の利用可能性】
【００４３】
内燃機関の潤滑で使用されるオイルに混入した燃料成分を分離する技術として広く利用される。特に、直噴式エンジン等のオイルに燃料成分が混入しやすい方式のエンジンで使用されるオイルから燃料成分を分離する技術として好適に利用される。
【図面の簡単な説明】
【００４４】
【図１】本実施例にかかる分離器のエンジンを含めた全体回路図である。
【図２】実施例１に係る分離器の縦断面図である。
【図３】図２のＩ−Ｉ線断面図である。
【図４】本実施例に係る分離部材を示す断面図であり、（ａ）は支持体部の内面に分離膜部が形成されている形態、（ｂ）は支持体部の外面に分離膜部が形成されている形態をそれぞれ示す。
【図５】実施例２に係る分離器の縦断面図である。
【図６】図５のＩＩ−ＩＩ線断面図である。
【図７】本実施例に係る他の形態の分離部材をそれぞれ説明するための横断面図である。
【図８】本実施例に係る他の形態の分離部材を説明するための横断面図である。
【図９】本実施例に係る他の形態の分離器を説明するための縦断面図である。
【図１０】本実施例に係る他の形態の分離部材を説明するための横断面図である。
【図１１】本実施例に係る他の形態の分離器を説明するための縦断面図である。
【図１２】本実施例に係る分離器のエンジンを含めた他の形態を示す全体回路図である。
【符号の説明】
【００４５】
１；分離器、１０；分離器本体、１０ａ、１０ｂ；端面部、１０ｃ；側面部、１０ｄ；段差部、１１、３１、４１、５１、６１、７１；セラミックフィルタ、１１ａ、３１ａ、４１ａ；支持体部、１１ｂ、３１ｂ、４１ｂ、６１ｂ；分離膜部、１２、３２；オイル導入部、１３、３３；オイル排出部、１４、３４；燃料排出部、１５；第１領域、１６；第２領域、１７；ヒータ、２；エンジン、３；潤滑用ポンプ、４；吸気管。
【図１】
2009257135.tif 000003
【図２】
2009257135.tif 000004
【図３】
2009257135.tif 000005
【図４】
2009257135.tif 000006
【図５】
2009257135.tif 000007
【図６】
2009257135.tif 000008
【図７】
2009257135.tif 000009
【図８】
2009257135.tif 000010
【図９】
2009257135.tif 000011
【図１０】
2009257135.tif 000012
【図１１】
2009257135.tif 000013
【図１２】
2009257135.tif 000014